(57)【要約】【課題】倉庫や工場内で使用する積層ラックの防震方法及び防震機能を備えた積層ラック並びに積層ラックの滑止粘着ゴムを得ることを目的とする。【解決手段】側柱の下部に奥行方向に延設され、床面に接触して足部となる一対の両側梁部材と、後方下部に床面に接触しない後部梁部材を備える積層ラックの耐震方法及び防振機能を備えた積層ラックなどにおいて、両側梁部材の前面側に一部を床から浮かせ、床との接触を避けた非接触部を設け、少なくとも非接触部と床面の間に介在させる滑止粘着ゴムを設置させた積層ラック及び防震機能を備えた積層用ラック。【選択図】図１
2014205566.tif 000002
【特許請求の範囲】
【請求項１】
正面から見た断面が、両側の側柱と天棚からなる逆Uの字状の積層用ラックにおいて、少なくとも前記側柱の下部に奥行方向に延設され、床面に接触して足部となる一対の両側梁部材と、後方下部に床面に接触しない後部梁部材を備える積層ラックの耐震方法であって、
前記両側梁部材の前面側に一部を床から浮かせ、床との接触を避けた非接触部を設け、
少なくとも前記非接触部と床面の間に介在させる滑止粘着ゴムを設置させたことを特徴とする積層用ラックの耐震方法。
【請求項２】
さらに前記後部梁部材と床面の間に滑止粘着ゴムを設置させたことを特徴とする前記請求項１記載の積層用ラックの耐震方法。
【請求項３】
前記滑止粘着ゴムはエラストマー樹脂で構成することを特徴とする前記請求項１乃至２記載の積層用ラックの耐震方法。
【請求項４】
正面から見た断面が、両側の側柱と天棚からなる逆Uの字状の積層用ラックであって、
少なくとも前記側柱の下部に奥行方向に延設され、床面に接触して足部となる両側梁部材と、後方下部に床面に接触しない後部梁部材を備えるとともに、
前記両側梁部材の前面側に一部を床から浮かせ、床との接触を避けた非接触部を設けてなり、
少なくとも前記非接触部と床面の間に介在させる滑止粘着ゴムを設置したことを特徴とする積層用ラック。
【請求項５】
前記積層用ラックは、さらに後部梁部材と床面の間に介在させることを特徴とする前記請求項４記載の積層用ラック。
【請求項６】
前記滑止粘着ゴムは、エラストマー樹脂で構成したことを特徴とする前記請求項４乃至５記載の積層用ラック。
【請求項７】
前記滑止粘着ゴムは、前記両側梁部材における前記非接触部と床面の間又は前記後部梁部材と床面の間に介在させる際、歪みしろを5~15mmとしたことを特徴とする前記請求項４乃至６記載の積層用ラック。
【発明の詳細な説明】
【技術分野】
【０００１】
本発明は、倉庫内や工場内で固定設備でなく移動可能な設備として使用される積層ラックの防震方法及び防震機能を備えた積層ラックさらには積層ラックの床上での滑止粘着ゴム関するものである。
【背景技術】
【０００２】
従来、倉庫内で物品を収容する際には、物品を載置して収容するとともに、当該物品を搬送しやすいように、フォークリフトなどで運搬可能な積層ラックが用いられている。例えば、一例として、特許文献１（図１、図１１）に示すように、周囲が支柱で囲まれた略立方体形状のものが使用されている。これらのラックは特に特許文献１（図１１）に示されるように、積み重ねて使用されている。これにより倉庫内の空間の有効スペースを効率的に利用することができる。
【先行技術文献】
【特許文献】
【０００３】
【特許文献１】特許第４０１２５５５号公報
【発明の概要】
【発明が解決しようとする課題】
【０００４】
しかし、近年は、多数の地震が発生しており特に、東日本大震災では、上述のような積層ラックが崩れたとの報告がなされている。特に特許文献１（図１）で示される積層ラックは、脚部の係合部１５と上部の係止部１６が互いに系合合致して積層されるようになっている。
【０００５】
これら積層ラックは、正面から見て奥行き方向に伸びる両側辺梁部材６、７による脚部で床面に支えられていることが理解できる。また、８の後辺梁部材は、床から浮いていて、床には接触していない。従って、地震などの災害時に、これら積層ラックの正面からの横振れには、床との間で滑りにくく、積層ラックの正面からのみて前後方向の振れには、床とのあいだで滑りやすいことがわかった。
【０００６】
これら積層ラックが地震の際に床との間で完全に滑って振動を吸収すするか、滑りにくくして床に固定するかの方法を取らない限り、転倒することが実験でわかってきた。
【０００７】
また、積層ラックの正面からのみて前後方向の振れにより、床とのあいだで不安定な滑りにより、積層パレットの積層部分（脚部が逆Ｖ字状の係止レール１５と上部で重なる係止合レール１７）が離脱し、上部の積層ラックが脱落することもわかった。
【０００８】
そこで、本発明は、上記の点に鑑み、比較的簡単な構成を用いて、これらパレット積層の防震方法及び防震機能を備えた積層ラック並びに積層ラックの滑止粘着ゴムを得ることを目的とする。  
【課題を解決するための手段】
【０００９】
まず本発明の積層用ラックの防震方法は、正面から見た断面が、両側の側柱と棚板からなるＵ字状又は逆Ｕの字状の積層用ラックにおいて、少なくとも側柱の下部に奥行方向に延設され、床面に接触して足部となる一対の両側梁部材と、後方下部に床面に接触しない後部梁部材を備える積層ラックの耐震方法であって、
両側梁部材の前面側に一部を床から浮かせ、床との接触を避けた非接触部を設け、少なくとも非接触部と床面の間に介在させる滑止粘着ゴムを設置させた。
【００１０】
請求項２における積層ラックの防震方法は、さらに後部梁部材と床面の間に滑止粘着ゴムを設置させてなるものである。
【００１１】
さらに請求項３として、滑止粘着ゴムはエラストマー樹脂で構成することが好適なものとして提供できる。
【００１２】
また、方法の発明とは別に、正面から見た断面が、両側の側柱と棚板からなるＵ字状又は逆Ｕの字状の積層用ラックであって、
少なくとも側柱の下部に奥行方向に延設され、床面に接触して足部となる両側梁部材と、後方下部に床面に接触しない後部梁部材を備えるとともに、
両側梁部材の前面側に一部を床から浮かせ、床との接触を避けた非接触部を設けてなり、
少なくとも非接触部と床面の間に介在させる滑止粘着ゴムを設置したことを特徴とする。
【００１３】
また請求項５の積層用ラックは、さらに後部梁部材と床面の間に介在させることを特徴とする。
【００１４】
さらに請求項６は、滑止粘着ゴムは、エラストマー樹脂で構成したことを特徴とする積層用ラック。
【００１５】
また、滑止粘着ゴムは、両側梁部材における非接触部と床面の間又は後部梁部材と床面の間に介在させる際、歪みしろを5~15mmとしたことを特徴とする請求項１乃至６記載の積層用ラックの防震方法及び積層用ラックとした。
【発明の効果】
【００１６】
本発明による積層用ラック１の防震方法及び防震機能を備えた積層用ラック１は、側柱７の下部に奥行方向に延設され、床面に接触して足部となる一対の両側梁部材を備える積層用ラック１の耐震方法及び防震機能を備えた積層用ラック１において、両側梁部材２の前面側に一部を床から浮かせ、床との接触を避けた非接触部４を設け、少なくとも非接触部４と床面の間に介在させる滑止粘着ゴム５aを設置しているので、滑止粘着ゴム５と積層用ラック１が一体になりさらに床面とも密着し、積層用ラック１と床は滑ることなく安定して物品を収納できる。特に滑止粘着ゴム５aは、両側梁部材２の前面側に一部を床から浮かせ、床との接触を避けた非接触部４に介在させるにあたり、歪代を持って突出して配置されており、床面に載置した時には、歪んで隙間がなくなり、床と滑止粘着ゴム５aは、真空結着して積層用ラック１は、床面を滑らせずしっかり固定できる。
【図面の簡単な説明】
【００１７】
【図１】本発明に係る積層ラックの防震方法及び防振機能を備えた積層ラックの説明図。
【図２】本発明に係る積層ラックの本発明に係る積層ラックの積層状態説明図。
【図３】本発明に係る積層ラックに滑止粘着ゴムを介在させた正面説明図。
【図４】本発明に係る積層ラックに滑止粘着ゴムを介在させた側面説明図。
【図５】本発明に係る積層ラックの使用状態説明図。
【発明を実施するための形態】
【実施例１】
【００１８】
本発明の１実施例を示す図１、図２、図３、図４に基づいて説明する。積層用ラック１は、両側の側柱７、棚台８を有して、正面から見た断面が逆U字状の積層用ラック１の実施例である。
【００１９】
この積層用ラック１において、少なくとも側柱７の下部に奥行方向に延設され、床面に接触して足部となる一対の両側梁部材２と、後方下部に床面に接触しない後部梁部材３を備える積層ラック１の耐震方法であって、両側梁部材２の前面側に一部を床から浮かせ、床との接触を避けた非接触部４を設け、少なくとも非接触部４と床面の間に介在させる滑止粘着ゴム５aを設置させた積層用ラックの防震方法。
【００２０】
さらに後部梁部材３と床面の間に滑止粘着ゴム５bを設置させることで、さらに強固に床面に密着させることができる積層用ラックの耐震方法が提供できる。
【００２１】
滑止粘着ゴム５a、５bはエラストマー樹脂で構成することで好適なものとなる積層用ラックの耐震方法が提供できる。
【００２２】
正面から見た断面が、両側の側柱７と天棚８からなる逆Uの字状の積層用ラック１であって、少なくとも側柱７の下部に奥行方向に延設され、床面に接触して足部となる両側梁部材と、後方下部に床面に接触しない後部梁部材を備えるとともに、両側梁部材２の前面側に一部を床から浮かせ、床との接触を避けた非接触部４を設けてなり、少なくともこの非接触部４と床面の間に介在させる滑止粘着ゴム５aを設置した積層用ラックである。
【００２３】
積層用ラック１は、さらに後部梁部材３と床面の間に滑止粘着ゴム５bを介在させてなるものである。
【００２４】
滑止粘着ゴム５a、５bは、エラストマー樹脂で構成することでより強固に床面に固着できる積層用ラックが提供できる。
【００２５】
滑止粘着ゴム５a、５bは、両側梁部材２における非接触部４と床面の間又は後部梁部材と床面の間に介在させる際、歪代を5~15mmとして、ラックを積層することで積層用のラック１の両側梁部材２は床面にしっかり接地すると共に、滑止粘着ゴム５a、５bも床面にしっかり接地して、積層用ラック１を確実に床に固定できるようになっている。
【００２６】
図３において、両側梁部材２における非接触部４と床面の間に滑止粘着ゴム５aを設置する方法は、積層用ラック１の前面側を軽く浮かせれば簡単に設置できる。滑止粘着ゴム５aは、前面側に下部方向に広がるテーパを形成しているが、両側にも同様にテーパを形成しても良い。
【００２７】
また図４で示したが、後部梁部材３は、常時床から浮いているが、この空間に滑止粘着ゴム５bを後部梁部材３の中央に長めの滑止粘着ゴム５bを介在させる以外に、滑止粘着ゴム５bを２つに分割し、後部梁部材３の両サイドに設置しても良い。
【００２８】
尚、本発明の積層用ラック１の防震方法及び防震機能を備えた積層用ラックの使用方法において、図５に示したように、滑止粘着ゴム５a、５bが積層用ラック１の下面（側梁部材２の前面側２箇所のと、後部梁部材３と床面の間に）設置されるが、収納スペースとなる倉庫の床は、平で密着性を高めるために、あらかじめ床を平坦にして、強化樹脂などを浸透させて強化又は耐油性のある樹脂で塗装し、表面処理されることが望ましい。その施工工事としては、少なくとも滑止粘着ゴム５a、5bが載置される部分１０のみであっても良い。
【００２９】
施工パターンは、上述の実施例では、両側梁部材２の前面側２ヶ所と、後部梁部材３の１ヶ所の３ヶ所になるが、前述したとおり後部梁部材３の中央に長めの滑止粘着ゴム５bを介在させる以外に、滑止粘着ゴム５bを２つに分割し、後部梁部材３の両サイドに設置した場合は、それに合わせて、４箇所の施工パターになる。
【００３０】
このようにして、積層用ラック１が倉庫内で固定設置されれば、地震などの揺れにおいて、積層用ラック１は不用意に滑ることなく安定し状態を保つことができる。積層用ラック１は、図２に示されるように積層されるが、積層用ラックの上部両側係止穴１５が設けられ、積層用ラック１の下部に係止ピン１６が設けられており重なるようになっている。そして拘束金具１１により固定することで、振動や揺れが発生しても積層用ラック１は、積層状態を保つことができる。
【００３１】
拘束金具１１は、変形E字型となっており、係止ピン１３の先端が曲がっている。拘束金具１１の側部に設けられた貫通横穴１２により、先端が曲がった係止ピン１３でも容易に通過させることができ、さらに回転させれ事で、係止ピン１３が不用意に外れることはない。図中１４は、係止ピン１３必要以上に回転しないように設けたストッパーである。
【００３２】
上記の実施例において、積層用ラック１の棚台は、実施例では上部に有したものであるが、下部に有したものであっても良い。本発明による積層用ラック１の防震方法及び防震機能を備えた積層用ラック１は、特に一対の足部となる両側梁部材２を備えられた積層ラックにおいて、この両側梁部材２における床との非接触部４、及び床との非接にある後部梁部材３の下部に形成された空間に滑止粘着ゴム５a、５bを設けて、しかも最適な実施例として、歪代を5~15mmとし、積層用ラックが床に設置された時に、両側梁部材２がしっかり床に密着し、しかも、滑止粘着ゴム５a、５bも床に密着させることができるので、地震などの振動や揺れが発生しても積層用ラックは床に固定されるようにした。
【符号の説明】
【００３３】
１・・・積層用ラック
２・・・両側梁部材
３・・・後部梁部材
４・・・非接触部
５a、５b・・・滑止粘着ゴム
６・・・歪代
７・・・側柱
８・・・棚台
【図２】
2014205566.tif 000003
【図３】
2014205566.tif 000004
【図４】
2014205566.tif 000005
【図５】
2014205566.tif 000006
【図１】
2014205566.tif 000007